(57)【要約】【課題】車両の開始・停止システムの過渡動作を用いて上昇電圧を供給するためのシステム、方法および回路を提供する。【解決手段】本システムは、過渡動作に基づいてデューティサイクルまたは電流の変化を検出するためのデューティサイクルまたは電流監視装置と、デューティサイクルの変化が所定の閾値を上回っているのかを判定するためのクランクタイムアウト検出器と、所定の遅延時間後に上昇電圧を生成する昇圧回路の再設定を発生させるための再設定発生器とを含む。【選択図】図１
2016049014.tif 000002
【特許請求の範囲】
【請求項１】
車両の開始・停止システムの過渡動作を用いて上昇電圧を供給するためのシステムであって、
前記過渡動作に基づいてデューティサイクルまたは電流の変化を検出するためのデューティサイクルまたは電流監視装置と、
前記デューティサイクルまたは電流の変化が所定の閾値を上回っているか否かを判定するためのクランクタイムアウト検出器と、
所定の遅延時間後に前記上昇電圧を生成する昇圧回路の再設定を発生させるための再設定発生器と
を含む、システム。
【請求項２】
前記クランクタイムアウト検出器は、前記過渡動作が前記車両の開始・停止システムの停止モードから開始モードへの切り換えであると判断する、請求項１に記載のシステム。
【請求項３】
前記所定の遅延時間が前記過渡動作の重度に基づいている、請求項２に記載のシステム。
【請求項４】
前記過渡動作がクランク動作である、請求項３に記載のシステム。
【請求項５】
前記デューティサイクルが所定の閾値を下回っている場合、前記クランクタイムアウト検出器が前記過渡動作を無視する、請求項１に記載のシステム。
【請求項６】
前記過渡動作は、前記車両バッテリー電圧が所定のバッテリー電圧閾値を下回っていることを示す、請求項５に記載のシステム。
【請求項７】
過渡条件に基づいて開始・停止システムの昇圧回路を制御するための回路であって、
前記昇圧回路の昇圧ゲート駆動装置に接続され、且つデューティサイクルのアナログ信号を前記昇圧ゲート駆動装置上に与えるためのデジタル・アナログ回路と、
前記アナログ信号が所定の閾値を上回っているか否かを検出するためのオペアンプ回路と、
前記アナログ信号が前記所定の閾値を上回っているのを検出したか否かに基づいて遅延信号を導入するための遅延回路と、
前記遅延回路からの前記遅延信号に基づいて前記昇圧回路を停止させるように制御するための再設定発生器と
を含む、回路。
【請求項８】
前記デューティサイクルが、電流要求に基づいて負荷が加えられている車両バッテリーに対応する、請求項７に記載の回路。
【請求項９】
前記電流要求が、停止モードから開始モードに変移する前記開始・停止システムに基づいている、請求項７に記載の回路。
【請求項１０】
前記遅延信号が前記アナログ信号の信号強度に基づいている、請求項７に記載の回路。
【請求項１１】
前記遅延回路と前記再設定発生器との間に接続される第２のオペアンプをさらに備えている、請求項７に記載の回路。
【請求項１２】
前記再設定発生器が、前記再設定を有効にするための引き下げスイッチを備えている、請求項１１に記載の回路。
【請求項１３】
前記バッテリーの低電圧状態の間は、前記昇圧回路が常に上昇電圧を供給し、クランク状態の間は、前記昇圧回路が前記遅延信号に基づいて上昇電圧を供給する、請求項７に記載の回路。
【請求項１４】
車両の開始・停止システムの過渡動作を用いて上昇電圧を供給するための方法であって、
車両バッテリーへの追加の加負荷に対応する前記過渡動作に基づいてデューティサイクルまたは電流の変化を検出することと、
前記変化が所定の閾値を上回っているか否かを判定することと、
前記クランク動作に対応する前記変化に応答して再設定信号の遅延を伝搬させることと、
前記再設定信号を印加することと
を含む、方法。
【請求項１５】
前記遅延が前記過渡動作の重度に基づいている、請求項１４に記載の方法。
【請求項１６】
前記過渡動作がクランク動作である、請求項１４に記載の方法。
【請求項１７】
前記デューティサイクルが前記所定の閾値を下回っている場合、前記過渡動作を無視することをさらに含む、請求項１４に記載の方法。
【請求項１８】
前記過渡動作が、前記車両バッテリー電圧が所定のバッテリー電圧閾値を下回っていることを指し示す、請求項１７に記載の方法。
【発明の詳細な説明】
【技術分野】
【０００１】
本発明は、車両の開始・停止システムの過渡動作を用いて上昇電圧を供給するためのシステム、方法および回路に関する。
【背景技術】
【０００２】
従来、自動車および他の車両は、本来ほぼ例外なくガソリン燃料供給技術により駆動されている。車両の操作者は、車両を、主にバッテリー動力（すなわち、電力）を用いる操作外状態に合わせる。その後に、車両は、車両の動きを確保するための関連機構がガソリンのような燃料により本来駆動されるモードに設置され得る。
【０００３】
車両の動きは本来ガソリンにより駆動されていたので、ガソリン駆動モード中のバッテリー動力の保存は優先されていなかった。しかしながら、最近では、車両の開発者は、多重モード式車両の作製に向かって動いている。車両の動きを左右する車両の様相は、ここではバッテリー動力とガソリン動力の組み合わせより操作され得る。
【０００４】
ある事例では、車両は、自動車に動力を供給し、駆動させるためのさまざまな方法の組み合わせを用い得る。新たに実装された技術のうちの１つは、開始・停止システムである。開始・停止システムは、エンジンがアイドリングのために費やす時間を削減するために内燃機関を自動的に停止させ、再起動させる。これにより燃料消費が低減し、したがって車両操作手段の総合効率が向上する。
【０００５】
例えば、車両が交通信号機でまたは交通渋滞で停止する場合、エンジンは連続動作状態である必要はない。この場合、開始・停止システムが作動して、車両の電気システムが（燃料ではなく）電力により運転状態に保たれ得る。この技術を用いることにより、車両は環境に対する有害な影響を低減しつつ、より効率的に動作し得る。
【０００６】
開始・停止システムを補助するのに用いられる要素のうちの１つは昇圧回路である。昇圧回路は本質的に、電圧が、所定値（例えば６．８Ｖ）以下に降下していることを検出し、電圧降下を補償するために補償電圧を電圧出力ノード（Ｖ出力）に印加する。
【０００７】
Ｖ入力ノード上の電圧がある値以上に上昇した後は、昇圧回路が無効にされる。
【０００８】
図１は、開始・停止システム１００の従来の実装例を示す。システム１００は、バッテリー１１０、昇圧回路１２０、およびマイクロコントローラ１３０を含む。
【０００９】
車両バッテリー１１０は、車両内のさまざまな要素および部品に電力を供給する働きをし、接地ノード１１２を有し、ノード１１１を介して昇圧回路１２０に接続される。図１に示される状況では、車両バッテリー１１０は、ノード１１１から入力ノード１２８へ、昇圧回路１２０に電力を供給する働きをする。昇圧回路１２０は、要素１２１〜１２５のようなさまざまな回路要素を含む。要素１２１〜１２５の説明は、図１に示される昇圧回路１２０が当業者に周知のものであるとして省略されることになる。昇圧回路１２０の制御は、特定のデューティサイクルを有する電圧パルス列をトランジスタゲート１２６、および供給源１２９に印加することにより達成される。供給源１２９は、昇圧回路１２０に関連する電圧／電荷の送り込みを制御する信号である。本質的に、さらなる電力需要により車両バッテリー１１０に負荷が加えられる場合、供給源１２９は電圧パルス列をゲート１２６に印加し、それにより昇圧回路１２０は、上昇電圧を供給するように動作することができる。
【００１０】
マイクロプロセッサ１３０は、昇圧回路１２０の状態１３１を監視し（すなわち、昇圧回路１２０がどの程度の電圧を生成しているのか、または生成する必要があるのかを測定し）、制御入力１３２を介して昇圧回路１２０を無効または有効にする。このように、マイクロプロセッサ１３０は、車両を開始・停止システムの停止モードに操作するのに必要とされる電圧量を押し上げるために、昇圧回路１２０を始動／停止するのかを効率的に判定し得る。
【００１１】
本質的に、上に示されるような開始・停止システム１００内のモータが停止の状況において（すなわち、待機または停止）、車両の操作者がクラッチペダルを踏み込む場合、通常、エンジンの再起動を補助するのに電流の上昇が必要とされる。このエネルギーが上に示されたバッテリー１１０から引き出されることにより、バッテリー１１０に重度の負荷がかかり、潜在的にスパイク波形が生じることになる。車両のさまざまな要素がバッテリー１１０に依存し得るので（例えば照明、音響装置、ＨＶＡＣ等）、さまざまな動作が一時的に停止され、妨害され、または変更されることにより、開始・停止システムにおける車両の総合経歴に影響を及ぼす。
【発明の概要】
【発明が解決しようとする課題】
【００１２】
上記の従来のシステムは、昇圧回路１２０を有効にするべきかを判定するために状態ピン１３１を用いる。したがって、昇圧回路１２０は、クランクが検出される（すなわち、停止モードから離れるためにクラッチペダルが踏み込まれる）場合とバッテリー電圧が低電圧として検出される場合の２つの状況において、連続的に動作し得る。しかしながら、各々の状態は、異なる時間量に対して異なる量の上昇電圧／電力を必要とし得る。図１で上に開示された態様を用いる場合、異なる量の上昇電圧／電力を異なる時間量にわたり供給することは不可能である。
【課題を解決するための手段】
【００１３】
開始・停止システムの過渡動作を用いて上昇電圧を供給するためのシステム、方法および回路が提供される。本システムは、過渡動作に基づいてデューティサイクルの変化を検出するためのデューティサイクル監視装置と、デューティサイクルの変化が所定の閾値を上回っているのかを判定するためのクランクタイムアウト検出器と、所定の遅延時間後に上昇電圧を生成する昇圧回路の再設定（reset）を発生させるための再設定発生器（reset generator）とを含む。
【００１４】
詳細な記述は、同じ番号が同じ品目を指す、以下の図面を参照する：
【図面の簡単な説明】
【００１５】
【図１】開始・停止システムの従来の実装例を示す。
【図２】過渡動作を用いて上昇電圧を供給するためのシステムの例である。
【図３】過渡動作を用いて上昇電圧を供給するための回路の例である。
【図４】図２のシステムまたは図３の回路の実装に基づく例示の図表を示す。
【図５】図示されたグラフ上に示されるようなさまざまなクランクモードを有する、図２のシステムまたは図３の回路の別の例示の実装を示す。
【図６】過渡動作に基づいて上昇電圧を供給するための方法を示す。
【発明を実施するための形態】
【００１６】
本発明は、以下にさらに十分に、本発明の模範的な実施形態が示される付属の図面を参照しながら記載される。しかしながら、本発明は、多くの異なる形態で実施されることがあり、本明細書で説明される実施形態に限定されるものとして解釈されるべきではない。むしろ、これらの例示の実施形態は、本開示が完全なものであり、本発明の範囲を当業者に十分に伝えるであろう。本開示の目的のために、「各々の少なくとも１つ」が、複数の列挙された要素の組み合わせを含む、各言語の後に来る列挙された要素のいずれかの組み合わせを意味すると解釈されることになると理解されるであろう。例えば、「Ｘ、Ｙ、およびＺのうちの少なくとも１つ」は、Ｘのみ、Ｙのみ、Ｚのみ、または２つ以上のＸ、Ｙ、およびＺのいずれかの組み合わせ（例えばＸＹＺ、ＸＺ、ＹＺ、Ｘ）を意味すると解釈されることになる。図面および詳細な記述を通して、特に記載されない限り、同じ図面参照番号は、同じ要素、特徴、および構造を指すと理解される。これらの要素の相対的な寸法および表示は、明確化、説明、および便宜のために誇張されることがある。
【００１７】
最新の車両が効率的に動作することを確保し、車両が移動または加速していないときにエネルギーを保存することができるように、開始・停止システムが用いられる。開始・停止システムは、「停止モード」から「開始モード」への変移の間に電圧または電荷を送り込む昇圧回路とともに実装され得る。開始モードは、車両が移動または加速しているときのモードを指し得る。
【００１８】
しかしながら、従来の昇圧回路は、バッテリー電圧を検出し、その検出されたバッテリー電圧に基づいて昇圧回路を有効にするだけである。バッテリー電圧の読み出しに依存している従来の昇圧回路は、昇圧回路が必ずしも必要とされていない場合に（例えば、バッテリーが低電圧で検出される場合に）作動することがある。したがって、昇圧回路は、上に考察された非効率性が導入されるために、より大型のものでなければならず、より多くのエネルギーを消費することがある。
【００１９】
本明細書において、過渡動作を用いて上昇電圧を供給するための方法およびシステムが開示される。過渡事象が検出される（すなわち、クラッチペダルが踏み込まれる、またはエンジンが停止状態から待機状態へ再び作動する）場合に昇圧回路を作動させることにより、昇圧回路は、滑らかに動作するのに必要とされるエネルギー量を与え、上昇電圧が必要とされないまたは十分な上昇電圧が与えられている場合にエネルギーを与えないように、効率的に容量が定められ、動作され得る。
【００２０】
したがって、本明細書で開示された態様を用いている開始・停止システムは、より滑らかに動作し、引き続き効率的に動作し得る。別の利点は、本明細書に記載される態様を用いることにより、昇圧回路が従来の実装技術で周知のものよりも小さな回路要素を備え得ることである。より小さな要素を備えることの根拠は、以下により詳しく説明されるであろう。
【００２１】
図２は、過渡動作を用いて上昇電圧／電力を供給するためのシステム２００の例である。過渡動作は、車両バッテリー２５０へのいずれかの種類の加負荷を指し得る。システム２００は、既存の開始・停止システムとともに実装されてもよく、車両とともに実装される開始・停止システム内に統合されてもよい。システム２００は、デューティサイクル監視装置２１０、クランクタイムアウト検出器２２０、および再設定発生器２３０を含む。
【００２２】
図２を参照して、クラッチペダル２４０、車両バッテリー２５０、および昇圧回路２６０が示される。昇圧回路２６０は、システム２００と有線で連通し、さまざまな入力／出力ノードを通じてシステム２００を介して制御され得る。
【００２３】
クラッチペダル２４０が図示される。しかしながら、クラッチペダルまたはエンジン加速装置からのいずれかの種類の信号方式が用いられてもよい。したがって、センサは、エンジンの加速を測定し且つエンジンの加速が要求されていることを昇圧回路２６０に指し示すための装置とともに実装され得る。これにより、開始・停止システムを組み込んでいる車両は停止モードを出て、開始モードに再び入り得る。
【００２４】
車両バッテリー２６０および昇圧回路２６０は、図１に示される要素と同じように動作し得る。したがって、これらの部品の説明は省略される。
【００２５】
デューティサイクル監視装置２１０は、昇圧回路２６０、具体的には、上昇電圧が必要とされるモード中に入力電圧を与えるゲートノード（図２に示されない）を監視する。昇圧回路２６０を始動させるように命令する信号が検出される（この場合、車両バッテリー２５０に負荷が特定量を超えて加えられていることを検出する）とき、昇圧回路２６０を本質的に始動させる電圧が有効にされる。これにより、（所定量の）デューティサイクル２３１が生成される。（デューティサイクル２３１を介して指し示されるような）動作の変化は、デューティサイクル監視装置２１０内の回路を介して実装されたハードウェア要素を介して検出される。本質的に、クランクタイムアウト検出器２２０に伝搬されるパルスはラッチされる。
【００２６】
クランクタイムアウト検出器２２０は、クランク動作（すなわちエンジンの再起動）が発生しているまたは開始しているというデューティサイクル監視装置２１０からの指示を受信する。クランクタイムアウト検出器２２０の主な機能は、デューティサイクル監視装置２１０からのその指示が所定の閾値を上回る信号強度であることを確定することである。
【００２７】
その信号強度が所定の閾値を上回る場合、クランクタイムアウト検出器２２０は、要素２１０を介して検出されたデューティサイクルの変化が、検出されたクランク動作に正確に対応することを検出し得る。クランクタイムアウト検出器２２０は、指示を再設定発生器２３０に伝送し得る。
【００２８】
信号強度が閾値を下回る場合、クランクタイムアウト検出器２２０は、デューティサイクル監視装置２１０からのその指示を無視する。これは、車両バッテリー２５０が他の理由のために低いことを示し得る。
【００２９】
再設定発生器２３０は、再設定信号２３１を介して昇圧回路２６０を再び設定し、昇圧回路２６０を介して昇圧発生器を本質的に停止させる。昇圧回路２６０が所定の時間量にわたり動作し得るような適切な遅延時間を確保するために、さまざまな遅延要素、例えば図３に示されるものが導入され得る。
【００３０】
昇圧回路２６０は、（再設定２３１が有効にされる前に）所定の時間量にわたり動作するのを許可され、所定の時間量にわたり上昇電圧を本質的に供給する。この上昇電圧は、出力ノード２６１を介して開始・停止システムに有効に移送され得る。
【００３１】
図３は、システム２００を実装するための回路装置３００の例を示す。回路装置３００は、車両バッテリー１１０、昇圧回路１２０、ゲートデューティサイクルデジタル・アナログ回路３１０、第１のオペアンプ（演算増幅器）３２０、クランクタイムアウト回路３３０、第２のオペアンプ３３０、および再設定発生器３４０を含む。
【００３２】
ゲートデューティサイクルデジタル・アナログ回路３１０は、昇圧ゲート駆動装置１２９を介して昇圧回路１２０に接続される。昇圧ゲート駆動装置１２９は、車両バッテリー１１０に負荷が加えられることを検出する電源であり、したがってノード３１１を介して要素３１０に伝えられるデューティサイクルを生成する。
【００３３】
したがって、抵抗３１２および３１３、およびコンデンサ３１４はデジタル・アナログ変換器を形成する。これらの回路要素は、ノード３１１を介して生成される負荷量を検出し、したがってアナログ信号３１５を生成する。
【００３４】
この信号は、要素３２１を介してバイアス電圧を加えられるオペアンプ３２０に伝搬される。オペアンプ３２０は、アナログ信号３１５が所定の閾値を超えているのかを判定するためにノード３２２をバイアス３２１と比較する。その場合、ノード３２３（オペアンプ３２０の出力）は、クランクタイムアウトを発生させるための信号を指し示す。
【００３５】
ノード３２３を介した信号は、クランクタイムアウト回路３３０に伝搬される。その信号は本質的に、図示されるように、抵抗３３１および３３２、およびコンデンサ３３３を介してＲＣ回路に通される。出力ノード３３４は、第２のオペアンプ３４０に伝搬される。
【００３６】
第２のオペアンプ３４０は本質的に、クランクタイムアウト動作を再設定発生回路３５０に伝搬するための緩衝器としての役割をする。回路３００の実装者により予め定められ且つ抵抗およびコンデンサを適切な容量に適宜に定めることにより実行されるように、適切な時間が経過した後に、再設定発生器のゲート３５１が引き下げられ、再設定ノード３５２は、昇圧回路１２０に戻して伝搬され、それにより昇圧回路１２０が停止する、または昇圧出力１２７により供給される回路に戻して伝搬され、それにより昇圧回路１２０の負荷が低減する。
【００３７】
再設定を指し示す信号は、再設定ノード３５２を介して、昇圧回路１２０を無効するように構成され得る中央マイクロコントローラに伝搬される。
【００３８】
したがって、上に示される回路３００を有する開始・停止回路を用いることで、実装者は、昇圧システムを効率的に操作し得る。このように、昇圧回路１２０は、タイマまたは上記の要素を介して導入されるタイムアウトに基づいて、適切なまたは設定された時間量にわたり動作する。この場合、クランク動作が検出されている間は、昇圧回路１２０が固定された時間量にわたり動作するので、昇圧回路１２０は、必要以上の時間にわたり電力を配送せず、再起動（すなわち、停止モードから開始モードへの変移）が効率的に達成されるのを確保するために適切な量の電力を配送する。
【００３９】
図４は、システム２００または回路３００の例示の実装の例示の図表４００を示す。図表４００は、動作モード域４１０、バッテリー電圧域４２０、経過時間域４３０、上昇電力域４４０、および電源入力電流（アンペア）域４５０を有する。
【００４０】
通常動作は、バッテリー電圧が通常動作条件内にあることを指し示す。そのように、上昇電力は必要とされず、したがって昇圧回路は停止される。
【００４１】
低電圧状態では上昇電力が必要とされ、上昇電力は１時間にわたり投入状態で保たれる。バッテリー再生は、例えばクランク動作ほど重い負荷ではないので、電源は４アンペアを配送し、それによりバッテリー電圧を再生させる。この状況では、アンペア量は比較的小さく、したがって上昇電力を長い時間周期（この場合１分）にわたり投入することは、エネルギー消費に対して有害または浪費ではない。
【００４２】
クランクモードでは、上昇電圧は０．５秒にわたり投入される。この場合、上昇電力は、他のモードと比べてより大きな量で強調される。したがって、上昇電圧をあまりにも長い間投入することにより、電力を不必要且つ過剰に消費することになる。
【００４３】
これは、電力の再生が「開始モード」に入るのを効率的に可能にするのに必要とされる時間量である。継続時間は０．５秒のみであり、引き出される電力量は十分であり（この場合８アンペア）、エネルギーおよび電力は効率的に保存される。したがって、昇圧は、０．５秒にわたり、この場合車両を再起動するために上昇電力を供給するのに適切で十分な時間にわたり規定される。
【００４４】
図５は、図示されるグラフ５００で示されるようなさまざまなクランクモードを有する、システム２００または回路３００の別の例示の実装を示す。
【００４５】
クランクは、重度のもの５１０または通常のもの５２０であり得る。重度のクランク５１０および通常のクランク５２０は参照５３０とともに示されている。重度のクランク５１０はより多くの電力を引き出し、電源から電力を警告的なまたは危険な量で引き出す危険がある。この場合、回路３００が実装される方法は、迅速な再設定（および後続の）電源停止を許可する。
【００４６】
通常のクランク５２０が適用される場合、再設定は低速で発生することがあり、それにより未来の別の時間で停止する。通常のクランク５２０は、より少ない電力を引き出し、したがって上昇電力生成電力を長時間にわたり有することは、車両の電源を浪費または損失させるようなものではあり得ない。
【００４７】
図６は、過渡動作に基づいて上昇電圧を供給するための方法６００を示す。
【００４８】
操作６１０では、車両電源への負荷に関連するデューティサイクルの変化の検出が検出される。上に説明されるように、さまざまな因子が、上昇電源に関連するデューティサイクルに影響を及ぼし得る。デューティサイクルは、（車両に関連するさまざまな電子機器からの電流引き出しのための）低電圧のバッテリーにより影響され得る。別の例では、デューティサイクルはクランク動作により影響され得る。
【００４９】
操作６２０では、操作６１０で検出されるデューティサイクルの変化が特定の閾値を超えているのかについての測定が行われる。そうであれば、方法６００は操作６２０に進む。そうでなければ、方法６００は終了する。
【００５０】
操作６３０は、クランクの程度が測定される。クランクの程度が測定された後、再設定信号を遅延させる時間量が設定され得る（操作６４０）。図５に説明されるように、クランクの重度（すなわちより多くの電圧／電流／電力を必要とするクランク）は、確立される迅速な再設定信号に関連し得る。
【００５１】
操作６５０では、再設定信号は、上昇電源を停止させるために、または上昇電源に負荷を加えている要素を取り外すためにマイクロプロセッサに伝搬される。別の例では、再設定信号が上昇電源に直接伝搬されることがあり、それにより上昇電源を停止させる。
【００５２】
デューティサイクル監視装置２１０によるデューティサイクル２６２の検出に加えて、昇圧回路（１２１、１２２、１２３、１２４、１２５、１２６）内のいずれかの点で電流を測定することにより、この方法を実行することもできる。この実行では、デューティサイクル監視装置２１０は電流監視装置に置き換えられる。
【００５３】
本発明において本発明の趣旨および範囲から逸脱することなく、さまざまな修正および変更が行われ得ることは当業者に明らかであるであろう。したがって、本発明は、付属の請求項およびそれらの均等物の範囲内にあるとして、本発明の修正および変更を包含すると意図される。
【図１】
2016049014.tif 000003
【図２】
2016049014.tif 000004
【図３】
2016049014.tif 000005
【図４】
2016049014.tif 000006
【図５】
2016049014.tif 000007
【図６】
2016049014.tif 000008